(57)【要約】コンパクトディスク、ミニディスクやフレキシブルディスク（フロッピィ（登録商標））といったディスク２の使用後の保管に際して、収容箱１を上箱４．と下箱３とから構成し、上箱４を開けたときに、斜めに対向する切欠部６、７（切欠部８、９）にディスク２を差し込んで保持することができる。このため、ディスク２同士が収容箱１に斜交に所定の間隔で並び、密着して重なり合わないようになる。これにより、外部からディスク２の題名を視認でき、再使用時に所望のディスクを素早く取り出せる。
2003031284.tif 000002
【特許請求の範囲】
【請求項１】
ディスクを収容する下箱と、
この下箱に被せられ、該下箱に対して開閉可能に設けられた上箱と、
前記下箱および前記上箱の対向する各開口周縁部に間欠的に形成された切欠部とを備え、
前記上箱を開いた際に、前記上箱および前記下箱の斜めに対向する一対の切欠部に前記ディスクの一隅角部を下にして着脱可能に差し込むようにしたことを特徴とするディスク保持装置。
【請求項２】
ディスクを収容する下箱と、
この下箱に被せられ、該下箱に対して開閉可能に設けられた上箱と、
前記下箱および前記上箱の対向する各開口周縁部に間欠的に形成された切欠部とを備え、
前記上箱を開いた際に、前記上箱および前記下箱の斜めに対向する一対の切欠部に前記ディスクの一隅角部を下にして着脱可能に差し込み、使用後に前記上箱を前記下箱に被せた際、前記上箱が前記下箱に内嵌して前記上箱の切欠部と前記下箱の切欠部とが隠蔽されるようにしたことを特徴とするディスク保持装置。
【請求項３】
ディスクを収容する中箱と、
この中箱の左右にヒンジを介して上下回動可能に連結され、上方回動時に前記中箱に重なり合って当接し、下方回動時に各開口周縁部が前記中箱の開口周縁部と傾斜線上に並ぶ左箱および右箱と、
前記中箱、前記左箱および前記右箱の各開口周縁部に間欠的に形成された切欠部とを備え、
前記左箱および前記右箱を前記中箱に対して下方回動した際、前記左箱、前記中箱および前記右箱の対向する一対の切欠部に前記ディスクの一隅角部を下にして着脱可能に差し込むようにしたことを特徴とするディスク保持装置。
【請求項４】
上下に複数の箱体を組み合わせてなり、内部にディスクを収容する収容箱と、
前記箱体の開口周縁部にそれぞれ形成された切欠部とを備え、
前記箱体を取り外して分離した際、各箱体の斜めに対向する一対の切欠部に前記ディスクの一隅角部を下にして着脱可能に差し込むようにしたことを特徴とするディスク保持装置。
【請求項５】
スタンドにより支持された枠体と、
この枠体に着脱可能に設けられ、軸方向に対して所定の角度で傾斜する複数列のスリットを形成した複数の基台梁とを備え、
前記スリットにディスクの一隅角部を下にして着脱可能に差し込むようにしたことを特徴とするディスク保持装置。
【請求項６】
前記スタンドは、前記枠体を揺動可能に支持する脚部を有し、前記枠体を所望の揺動角で固定できることを特徴とする請求項５に記載のディスク保持装置。
【請求項７】
蝶ボルトにより、前記スタンドの枠体を所望の揺動角で固定できることを特徴とする請求項６に記載のディスク保持装置。
【請求項８】
前記スタンドは、机に固定するためのクランプを有し、前記脚部は、伸縮用の複数のリンクアームを備えていることを特徴とする請求項６または請求項７に記載のディスク保持装置。
【発明の詳細な説明】
技術分野
本発明は、各種のディスケットをはじめコンパクトディスク、ミニディスクやフレキシブルディスク（フロッピィ（登録商標））といったディスクを合理的に立てることができるように改良したディスク保持装置に関する。
背景技術
ディスクの多くは、ＣＤ、ＭＤやＦＤと呼称され、音楽を聴いたり、事務的処理などに利用された後には、再使用を考慮して所定の位置に保管している。使用後のディスクを保管するにあたっては、例えば箱状の引出しにしまったり、本立て状の棚に横方向に重なり合うように収容されている。
ところで、ディスクの表面には、記録内容として題名を記したラベルが貼られ、再使用の際の便宜に供している。
しかしながら、上記のように引出しにしまったり、本立て状の棚に収納するものでは、収納時にディスク同士の全体が隙間なく重なり合ってしまうので、ディスクの題名を視認できなくなる。
このため、再使用時に何度も確認しながらディスクの出し入れを繰り返さないと、取り出したいディスクを入手できず、手間取る不都合がある。
発明の開示
（１）本発明によれば、下箱および上箱の対向する各開口周縁部に間欠的に形成された切欠部を備える。上箱を開いた際に、上箱および下箱の斜めに対向する一対の切欠部にディスクの一隅角部が着脱可能に差し込まれる。
このため、ディスクを使用した後、切欠部に一時的に保管でき、再使用時に外部から各ディスクの題名を視認できるので、所望のディスクを素早く取り出せて実用性に優れる。
（２）収容箱においては、上下に複数の箱体を組み合わせてなり、箱体の開口周縁部に切欠部を形成している。
これら箱体を取り外して分離した際、各箱体の斜めに対向する一対の切欠部にディスクの一隅角部を下にして着脱可能に差し込む。
このため、上記と同様な効果が得られる。
（３）上箱を下箱に内嵌した際、上箱の切欠部と下箱の切欠部とは合致せず、上箱の切欠部は下箱により、下箱の切欠部は上箱によりそれぞれ隠蔽される。これにより収容箱内に塵埃などが侵入することがなくなり、清潔な状態を保つことができる。
（４）収容箱は、中箱と中箱の左右にヒンジにより上下回動可能に連結した左箱および右箱からなる。中箱、左箱および右箱の各開口周縁部に間欠的には、切欠部が形成されている。
左箱および右箱を中箱に対して下方回動した際、左箱、中箱および右箱の対向する一対の切欠部にディスクの一隅角部を下にして着脱可能に差し込む。
このように、切欠部が左箱、中箱および右箱の各開口周縁部にわたって形成されているため、切欠部の個数を増加できてディスクの保管数を大幅に増やすことができる。
（５）スタンドにより支持された枠体に着脱可能に設けられ、軸方向に対して所定の角度で傾斜する複数列のスリットを形成した複数の基台梁を備える。そして、スリットにディスクの一隅角部を下にして着脱可能に差し込む。
このように、複数列のスリットを形成した複数の基台梁を枠体に設けたので、収容量が増え多数枚のディスクをコンパクトに纏めて収容できる利点がある。
（６）スタンドは、枠体を揺動可能に支持する脚部を有し、この枠体を所望の揺動角で固定できる。
このため、枠体を固定する際、ディスクを最も視認し易い揺動角に設定できる利点が得られる。
（７）枠体を所望の揺動角に設定する際、蝶ボルトにより行う。このため、比較的簡易でコスト的に有利に枠体を固定できる利点が得られる。
（８）スタンドは、机をはじめ机上の柱や梁あるいはピラーに固定するためのクランプを有し、脚部は、伸縮用の複数のリンクアームを備えている。
このため、使用者が離れていても、机上でリンクアームを伸縮させることにより、ディスクを着脱できる便宜が得られる。
発明を実施するための最良の形態
本発明の各実施例について各図面を参照しながら説明する。
まず、本発明の第１実施例示す図１および図２において、偏平矩形状の収容箱１は、ワードプロセッサやパーソナルコンピュータなどが所在する机上などに置かれるもので、内部に矩形のディスク２を収容した下箱３と上箱４とから成る。ディスク２としては、ディスケットをはじめコンパクトディスク、ミニディスクやフレキシブルディスク（フロッピィ登録商標））などがある。
上箱４は、下箱３に対してヒンジ５により開閉可能となるように支持されている。上箱４の開口周縁部４ａおよび下箱３の開口周縁部３ａは、互いに当接し、所定の角度で左方から右方向に上昇する傾斜面を形成している。
下箱３の開口周縁部３ａにおける一方の長手側面には、複数列の細長な切欠部６が所定のピッチ間隔で形成されている。また、開口周縁部３ａの他方の長手側面には、複数列の細長な切欠部７が所定のピッチ間隔で形成されている。
上箱４の開口周縁部４ａにおける一方の長手側面には、複数列の細長な切欠部８が所定のピッチ間隔で形成されている。また、開口周縁部４ａの他方の長手側面には、複数列の細長な切欠部９が所定のピッチ間隔で形成されている。
この場合、切欠部６のピッチ間隔と切欠部７のピッチ間隔は、所定の角度（例えば５〜１０度）ずれて斜めに対向している。また、同様に、切欠部８のピッチ間隔と切欠部９のピッチ間隔は、所定の角度（例えば５〜１０度）ずれて斜めに対向している。
このため、斜めに対向する切欠部６（８）および切欠部７（９）の縦方向の内壁部は、長手側面に対して所定の角度でそれぞれ傾斜している。これにより、開口周縁部３ａ、４ａの実質的な長さ寸法が増し、切欠部６、７、８、９の個数を多く形成することができ、収容量が増加するようになる。
また、ディスク２を収容したり、取り出す際、上箱４をヒンジ５により図１の矢印Ａ方向に回動して開放すると、図２に示すように、上箱４と下箱３が一列に並ぶ。
この時、使用後のディスク２の一隅角部から斜めに対向する切欠部６（８）および切欠部７（９）に差し込み、ディスク２同士を所定の間隔で並べて保管することができる。
同様に、何枚ものディスク２を切欠部６（８）および切欠部７（９）に差し込んで並べても、隣接するディスク２同士の隙間から題名などを判別できる。このため、再使用時に外部から各ディスク２の視認により、ディスク２のうち所望のものを素早く取り出せて便利である。
図３および図４は本発明の第２実施例を示す。
この実施例では、第１実施例のヒンジ５の代わりに弾性爪１０と係合孔１１との弾性係脱により、上箱４を下箱３に対して着脱可能に被せている。
このため、下箱３の前端部に弾性爪１０を設け、後端部に係合孔１１を形成している。さらに、上箱４の前端部に係合孔１１を設け、後端部に弾性爪（図示せず）を形成している。
なお、収容箱１には、図４に示すように、ディスク２を収納する内箱Ｋが設けられており、収容箱１から内箱Ｋを取り出してからディスク２を使用する。
図５ないし図１０は本発明の第２実施例を示す。
この実施例の収容箱１２は、図５ないし図７に示す上段の箱体１３Ａ、中段の箱体１４Ａおよび下段の箱体１５Ａを複数段（三段）に積み重ねて構成される。
上段の箱体１３Ａの下面開口周縁部１３ａには、斜めに対向する切欠部１５、１６が形成されている。また、中段の箱体１４Ａの上面開口周縁部１４ａには、斜めに対向する切欠部１７、１８が形成されている。さらに、下段の箱体１５Ａの上面開口周縁部１５ａには、斜めに対向する切欠部１９、２０が形成されている。
ディスク２を収容箱１２から取り出す際、収容箱１２の箱体１３Ａ、１４Ａ、１５Ａを図８ないし図１０に示すように取り外して分離する。
この時、ディスク２の一隅角部から斜めに対向する切欠部１５、１６あるいは切欠部１７、１８に差し込み、ディスク２同士を所定の間隔Ｌで並べて保管し、ディスク２の再使用に備えることができる。
この場合、図８のディスク２を箱体１５Ａから取り出せば、ディスク２の一隅角部から切欠部１９、２０に差し込むことができる。
図１１ないし図１４は本発明の第４実施例を示す。
この実施例では、矩形の枠体２１に複数列の細長な基台梁２２が着脱自在に掛け渡されている。基台梁２２の一端部２２ａは、枠体２１の桟２１ａに形成された左側穴部２３に嵌め込まれ、他端部２２ｂは枠体２１の桟２１ｂに形成された右側穴部２４に係脱可能に嵌め込まれている。
枠体２１から基台梁２２を取り外すことにより、基台梁２２上のディスク２ごと取り出すことができる。このため、基台梁２２ごとにＦＤ、ＭＯ、ミニディスクといった種類の異なるディスク用に後述するスリット２５の幅寸法を設定しておくことにより、必要に応じて所望のディスク用の基台梁２２と取り替えることができる。
この基台梁２２の上面には、図１３の（イ）、（ロ）に示すように、複数列（例えば６列）のスリット２５が軸方向に対して所定の角度で傾斜する方向に形成されている。これらのスリット２５には、図１２に示すように、ディスク２の一隅角部が着脱可能に差し込まれている。この状態では、重心により基台梁２２が下方に移動して、ディスク２が垂直状態に位置している。
また、枠体２１は、図１４に示すように、机上などに設置された略横コ字状のスタンド２６に取り付けられている。このスタンド２６は、縦形の脚部２７を備えている。この脚部２７は、枠体２１の桟２１ａ、２１ｂに形成された中心孔部２８（図１１参照）を介して蝶ボルト２９により取り付けられ、枠体２１を揺動可能にしている。このため、枠体２１を蝶ボルト２９で固定する際、ディスク２を最も視認し易い揺動角に設定できる利点が得られる。
なお、スタンド２６の設置桟部３１には、安定化のための押さえ足部３２が螺子３３により回動調節可能に設けられている。
この場合、スリット２５は、基台梁２２を上面部から下面部にかけて貫通してもよいし、その切り込みを途中で留めて厚み寸法よりも浅目にしてもよく、要はディスク２を保持できる切り込み深さを有していればよい。
図１５は本発明の第５実施例を示す。
この実施例では、第４実施例のスタンド２６に代わって、リンク機構部３４を設けている。このリンク機構部３４は、一端部が蝶ボルト２９により中央孔部２８に取り付けられたリンクアーム３５を有する。このリンクアーム３５は、ピン３６を介して中間アーム３７に連結されている。この中間アーム３７は、ピン３８を介して平行アーム３９に連結されている。平行アーム３９は、略コ字状の挟持部４０と挟持ボルト４１からなるクランプ４２に取り付けられている。
このクランプ４２の挟持部４０を机などの側端部に差し込み、挟持ボルト４１で締め付けることにより、リンク機構部３４を有する枠体２１が机上に固定される。
この場合、ピン３６、３８は回転により、リンクアーム３５と中間アーム３７とを固定したり、緩めたりすることができるようになっている。これにより、枠体２１がリンクアーム３５および中間アーム３７を介して伸び縮みするため、ディスク２の着脱が容易になる。
図１６および図１７は本発明の第６実施例を示す。
この第６実施例は、第２実施例（図３、図４）に変更を加えたもので、第６実施例が第２実施例と異なるところは、上箱４と下箱３とをヒンジＨにより上下回動可能に連結し、上箱４を上方に回動して下箱３に被せた時、上箱４が下箱３に内嵌するようにしたことである。
また、上箱４の切欠部８（９）の位置と下箱３の切欠部６（７）との位置は、例えば略半分ピッチづつずらし、上箱４を下箱３に内嵌した時、切欠部８（９）と切欠部６（７）とが合致せず、切欠部８（９）が下箱３により、切欠部６（７）が上箱４によりそれぞれ隠蔽され、収容箱１内に塵埃などの異物が侵入しないようにしている（図１７）。
なお、切欠部８（９）および下箱３の切欠部６（７）とを隠蔽する際、上記とは逆に下箱３が上箱４に内嵌するようにしてもよい。
図１８および図１９は本発明の第７実施例を示す。
この第７実施例では、収容箱５０を図１８の（イ）、（ロ）に示すように、中央の中箱５１と左箱５２と右箱５３とから構成している。中箱５１と左箱５２とは、ヒンジ５４により矢印Ｏの方向に上下回動可能（略９０度）に連結されている。また、中箱５１と右箱５３とは、ヒンジ５５により矢印Ｐの方向に上下回動可能（略９０度）に連結されている。
中箱５１の開口周縁部５１ｂには、複数の切欠部５１ａが前後に対向する状態に形成されている（前面部のみ図示）。また、左箱５２の開口周縁部５２ｂには、複数の切欠部５２ａが前後に対向する状態に形成されている（前面部のみ図示）。さらに、右箱５３の開口周縁部５３ｂには、複数の切欠部５３ａが前後に対向する状態に形成されている（前面部のみ図示）。
中箱５１に対して左箱５２と右箱５３とをそれぞれ下方に回動した状態では、各開口周縁部５２ｂ、５１ｂ、５３ｂに形成した切欠部５２ａ、５１ａ、５３ａが、水平面に対して所定角度を有する傾斜線上に並ぶ（図１８の（イ））。この状態で、使用後のディスク２を左箱５２の前後に対向する切欠部５２ａ、中箱５１の前後に対向する切欠部５１ａ、ならびに右箱５３の前後に対向する切欠部５３ａに差し込んで保管することができる。
この場合、切欠部５２ａ、５１ａ、５３ａを左箱５２、中箱５１および右箱５３の各開口周縁部５２ｂ、５１ｂ、５３ｂにわたって形成しているため、切欠部の個数を増加できてディスク２の保管数を大幅に増やすことができる。
また、図１８の（イ）の状態から左箱５２および右箱５３を中箱５１に対して押し上げると、図１９の（イ）、（ロ）、（ハ）に示すように、左箱５２および右箱５３がヒンジ５４、５５を中心に略９０度それぞれ上方に回動して中箱５１に重なり合う。
この状態では、図１９の（ロ）に示すように、左箱５２の開口周縁部５２ｂと右箱５３の開口周縁部５３ｂとが当接し、左箱５２の切欠部５２ａと右箱５３の切欠部５３ａとが向かい合い、左箱５２の端面に形成した弾性爪５６が右箱５３の頭部に形成した凹部５７に弾性係合する。
なお、切欠部５２ａと切欠部５３ａとは、対向しない位置にあってもよく、第６実施例のように左箱５２が右箱５３に内嵌された時、切欠部５２ａが右箱５３により、切欠部５３ａが左箱５２によりそれぞれ隠蔽されるようにしてもよい。
図２０は本発明の第８実施例を示す。
この第８実施例が第７実施例と異なることろは、図２０の（イ）、（ロ）、（ハ）に示すように、第８実施例では左箱５２の開口周縁部５２ｂと右箱５３の開口周縁部５３ｂとが重なり合って、かつ切欠部５２ａと切欠部５３ａとが互いに合致しないように位置をずらしたことである。
このようにすれば、開口周縁部５２ｂおよび開口周縁部５３ｂとが閉鎖されるので、外部の塵埃などが開口周縁部５２ｂおよび開口周縁部５３ｂから収容箱５０に侵入することを防ぐことができる。
この場合、右箱５３の頭部には凹部５７を形成せず、弾性爪が５６が右箱５３の開口周縁部５３ｂの上端部に直接弾性係合する。
［変形例］
なお、枠体２１や基台梁２２およびリンク機構部３４は、木材をはじめ鉄、ステンレススチール、アルミニウムといった金属や様々なプラスチックにより形成できる。とりわけ、基台梁２２を透明なプラスチックやガラスにより形成することにより、ディスク２の前面のラベルの視認性を高めることができる。
また、ディスク２の外形は、矩形に加えて円形、正方形や多角形などの種々のものから選択することができ、要はディスク２を切欠部やスリットに保持できるものであればよい。
また、基台梁２２は、中実あるいは中空であってもよく、その断面形状は三角形、五角形、六角形、八角形をはじめとする多角形であってもよい。この場合、基台梁２２の断面形状によって、スリットの幅寸法をＦＤ、ＭＯ、ミニディスクといった種類の異なるディスク用に適合させ、ディスクの種類によって別々の基台梁２２に差し込むようにしてもよい。
その他、本発明の具体的な実施にあたっては、発明の要旨を逸脱しない範囲で種々変更できる。
産業上の利用可能性
コンパクトディスク、ミニディスクやフレキシブルディスク（フロッピィ（登録商標））といったディスク２の使用後の保管に際して、ディスク２同士が所定の間隔を空けて重なり合わない。このため、外部からディスク２の題名を視認できるようになり、再使用時に所望のディスク２を素早く取り出すことができる。パーソナルコンピュータやワードプロセッサを頻繁に用いる情報産業をはじめ、会計、経理事務や法律、卸業、小売り業など処理の効率化を図るため多くのサービス産業に便利な補助具として広く適用できる。
【図面の簡単な説明】
図１は、第１実施例において、下箱に上箱を被せた状態を示す斜視図である。
図２は、上箱を開放した状態を示す斜視図である。
図３は、第２実施例において、下箱に上箱を被せた状態を示す斜視図である。
図４は、下箱の斜視図である。
図５は、第３実施例において、収容箱の分解図である。
図６は、収容箱の正面図である。
図７は、収容箱の側面図である。
図８は、ディスクを内部に収容した下段の箱体の正面図である。
図９は、ディスクを装着した中段の箱体の正面図である。
図１０は、ディスクを装着した上段の箱体の正面図である。
図１１は、第４実施例において、基台梁を収容した枠体の斜視図である。
図１２は、ディスクを装着した基台梁の正面図である。
図１３の（イ）はディスクを装着した基台梁の上面図、（ロ）は基台梁の端面図である。
図１４は、スタンドを有する枠体の斜視図である。
図１５は、第５実施例において、基台梁を収容した枠体の斜視図である。
図１６は、第６実施例において、収容箱を開いた状態を示す斜視図である。
図１７は、収容箱を閉じた状態を示す斜視図である。
図１８の（イ）は第７実施例において、収容箱を開いた状態を示す正面図、（ロ）は収容箱の展開図である。
図１９の（イ）は収容箱の上面図、（ロ）は収容箱の正面図、（ハ）は収容箱の右側面図である。
図２０の（イ）は、第８実施例における収容箱の上面図、（ロ）は収容箱の正面図、（ハ）は収容箱の右側面図である。
【図１】
2003031284.tif 000003
【図２】
2003031284.tif 000004
【図３】
2003031284.tif 000005
【図４】
2003031284.tif 000006
【図５】
2003031284.tif 000007
【図６】
2003031284.tif 000008
【図７】
2003031284.tif 000009
【図８】
2003031284.tif 000010
【図９】
2003031284.tif 000011
【図１０】
2003031284.tif 000012
【図１１】
2003031284.tif 000013
【図１２】
2003031284.tif 000014
【図１３】
2003031284.tif 000015
【図１４】
2003031284.tif 000016
【図１５】
2003031284.tif 000017
【図１６】
2003031284.tif 000018
【図１７】
2003031284.tif 000019
【図１８】
2003031284.tif 000020
【図１９】
2003031284.tif 000021
【図２０】
2003031284.tif 000022
【手続補正書】
【提出日】平成14年3月6日(2002.3.6)
【手続補正１】
【補正対象書類名】明細書
【補正対象項目名】特許請求の範囲
【補正方法】変更
【補正の内容】
【特許請求の範囲】
【請求項１】
ディスクを収容する下箱と、
この下箱に被せられ、該下箱に対して開閉可能に設けられた上箱と、
前記下箱および前記上箱の対向する各開口周縁部に間欠的に形成された切欠部とを備え、
前記上箱を開いた際に、前記上箱および前記下箱の斜めに対向する一対の切欠部に前記ディスクの一隅角部を下にして着脱可能に差し込むようにしたことを特徴とするディスク保持装置。
【請求項２】
ディスクを収容する下箱と、
この下箱に被せられ、該下箱に対して開閉可能に設けられた上箱と、
前記下箱および前記上箱の対向する各開口周縁部に間欠的に形成された切欠部とを備え、
前記上箱を開いた際に、前記上箱および前記下箱の斜めに対向する一対の切欠部に前記ディスクの一隅角部を下にして着脱可能に差し込み、使用後に前記上箱を前記下箱に被せた際、前記上箱が前記下箱に内嵌して前記上箱の切欠部と前記下箱の切欠部とが隠蔽されるようにしたことを特徴とするディスク保持装置。
【請求項３】
ディスクを収容する中箱と、
この中箱の左右にヒンジを介して上下回動可能に連結され、上方回動時に前記中箱に重なり合って当接し、下方回動時に各開口周縁部が前記中箱の開口周縁部と傾斜線上に並ぶ左箱および右箱と、
前記中箱、前記左箱および前記右箱の各開口周縁部に間欠的に形成された切欠部とを備え、
前記左箱および前記右箱を中箱に対して下方回動した際、前記左箱、前記中箱および前記右箱の対向する一対の切欠部に前記ディスクの一隅角部を着脱可能に差し込むようにしたことを特徴とするディスク保持装置。
【請求項４】
（補正後）上下に複数の箱体を組み合わせてなり、内部にディスクを収容する収容箱と、
前記箱体の開口周縁部にそれぞれ形成された切欠部とを備え、
前記箱体を取り外して分離した際、各箱体の斜めに対向する一対の切欠部に前記ディスクの一隅角部を着脱可能に差し込むようにしたことを特徴とするディスク保持装置。
【請求項５】
（補正後）スタンドにより支持された枠体と、
この枠体に着脱可能に設けられ、軸方向に対して所定の角度で傾斜するように形成した複数列のスリットを有する複数の基台梁とを備え、
この基台梁の前記スリットに前記ディスクの一隅角部を着脱可能に差し込むようにしたことを特徴とするディスク保持装置。
【請求項６】
（補正後）前記スタンドは、前記ディスクが差し込まれた前記基台梁を有する前記枠体を揺動可能に支持する脚部を有し、前記枠体を所望の揺動度で固定するようになっていることを特徴とする請求項５に記載のディスク保持装置。
【請求項７】
（補正後）前記ディスクが差し込まれた前記基台梁を有する前記枠体は、前記スタンドに蝶ボルトにより所望の揺動度で固定されることを特徴とする請求項６に記載のディスク保持装置。
【請求項８】
（補正後）前記スタンドは、前記ディスクが差し込まれた前記基台梁を有する前記枠体を支持するとともに、前記スタンドを机に固定するためのクランプを有し、前記脚部は伸縮用の複数のリンクアームを備えていることを特徴とする請求項６または請求項７に記載のディスク保持装置。
【請求項９】
（追加）前記基台梁の両端部は、前記枠体の桟に形成した左右の穴部に係脱可能に嵌め込まれ、前記基台梁はこれの重心により下方に移動して前記ディスクを垂直状態に保つことを特徴とする請求項５ないし請求項８のいずれかに記載のディスク保持装置。
【手続補正書】
【提出日】平成14年5月16日(2002.5.16)
【手続補正１】
【補正対象書類名】明細書
【補正対象項目名】特許請求の範囲
【補正方法】変更
【補正の内容】
【特許請求の範囲】
【請求項１】
ディスクを収容する下箱と、
この下箱に被せられ、該下箱に対して開閉可能に設けられた上箱と、
前記下箱および前記上箱の対向する各開口周縁部に間欠的に形成された切欠部とを備え、
前記上箱を開いた際に、前記上箱および前記下箱の斜めに対向する一対の切欠部に前記ディスクの一隅角部を下にして着脱可能に差し込むようにしたことを特徴とするディスク保持装置。
【請求項２】
ディスクを収容する下箱と、
この下箱に被せられ、該下箱に対して開閉可能に設けられた上箱と、
前記下箱および前記上箱の対向する各開口周縁部に間欠的に形成された切欠部とを備え、
前記上箱を開いた際に、前記上箱および前記下箱の斜めに対向する一対の切欠部に前記ディスクの一隅角部を下にして着脱可能に差し込み、使用後に前記上箱を前記下箱に被せた際、前記上箱が前記下箱に内嵌して前記上箱の切欠部と前記下箱の切欠部とが隠蔽されるようにしたことを特徴とするディスク保持装置。
【請求項３】
ディスクを収容する中箱と、
この中箱の左右にヒンジを介して上下回動可能に連結され、上方回動時に前記中箱に重なり合って当接し、下方回動時に各開口周縁部が前記中箱の開口周縁部と傾斜線上に並ぶ左箱および右箱と、
前記中箱、前記左箱および前記右箱の各開口周縁部に間欠的に形成された切欠部とを備え、
前記左箱および前記右箱を中箱に対して下方回動した際、前記左箱、前記中箱および前記右箱の対向する一対の切欠部に前記ディスクの一隅角部を着脱可能に差し込むようにしたことを特徴とするディスク保持装置。
【請求項４】
上下に複数の箱体を組み合わせてなり、内部にディスクを収容する収容箱と、
前記箱体の開口周縁部にそれぞれ形成された切欠部とを備え、
前記箱体を取り外して分離した際、各箱体の斜めに対向する一対の切欠部に前記ディスクの一隅角部を着脱可能に差し込むようにしたことを特徴とするディスク保持装置。
【請求項５】
スタンドにより支持された枠体と、
この枠体に着脱可能に設けられ、軸方向に対して所定の角度で傾斜するように形成した複数列のスリットを有する複数の基台梁とを備え、
この基台梁の前記スリットに前記ディスクの一隅角部を着脱可能に差し込むとともに、前記基台梁の両端部は、前記枠体の桟に形成した左右の穴部に係脱可能に嵌め込まれ、前記基台梁はこれの重心により下方に移動して前記ディスクを垂直状態に保つようにしたことを特徴とするディスク保持装置。
【請求項６】
前記スタンドは、前記ディスクが差し込まれた前記基台梁を有する前記枠体を揺動可能に支持する脚部を有し、前記枠体を所望の揺動度で固定するようになっていることを特徴とする請求項５に記載のディスク保持装置。
【請求項７】
前記ディスクが差し込まれた前記基台梁を有する前記枠体は、前記スタンドに蝶ボルトにより所望の揺動度で固定されることを特徴とする請求項６に記載のディスク保持装置。
【請求項８】
前記スタンドは、前記ディスクが差し込まれた前記基台梁を有する前記枠体を支持するとともに、前記スタンドを机に固定するためのクランプを有し、前記脚部は伸縮用の複数のリンクアームを備えていることを特徴とする請求項６または請求項７に記載のディスク保持装置。
【手続補正２】
【補正対象書類名】明細書
【補正対象項目名】０００３
【補正方法】変更
【補正の内容】
【０００３】
保管数を大幅に増やすことができる。
（５）スタンドにより支持された枠体に着脱可能に設けられ、軸方向に対して所定の角度で傾斜する複数列のスリットを形成した複数の基台梁を備える。そして、スリットにディスクの一隅角部を下にして着脱可能に差し込む。
このように、複数列のスリットを形成した複数の基台梁を枠体に設けたので、収容量が増え多数枚のディスクをコンパクトに纏めて収容できる利点がある。しかも、基台梁は重心により下方に移動してディスクを垂直状態に保つので、ディスクを視認し易くて所望のディスクをいち早く取り出すことができる。
（６）スタンドは、枠体を揺動可能に支持する脚部を有し、この枠体を所望の揺動角で固定できる。
このため、枠体を固定する際、ディスクを最も視認し易い揺動角に設定できる利点が得られる。
（７）枠体を所望の揺動角に設定する際、蝶ボルトにより行う。このため、比較的簡易でコスト的に有利に枠体を固定できる利点が得られる。
（８）スタンドは、机をはじめ机上の柱や梁あるいはピラーに固定するためのクランプを有し、脚部は、伸縮用の複数のリンクアームを備えている。
このため、使用者が離れていても、机上でリンクアームを伸縮させることにより、ディスクを着脱できる便宜が得られる。
図面の簡単な説明
図１は、第１実施例において、下箱に上箱を被せた状態を示す斜視図である。
図２は、上箱を開放した状態を示す斜視図である。




【国際調査報告】
2003031284.tif 000023
2003031284.tif 000024
2003031284.tif 000025